(57)【要約】      （修正有）【課題】一対のスライドレール間の寸法精度を確保することができ、さらに生産性を高めることができるスライドレール構造を提供する。【解決手段】スライドレール構造２０は、左スライドレール２８に前後側の下向き位置決めピン７４，８１を設けるとともに前後側の上向き位置決めピン７３，８２を設け、車体フロア２１に前後側のフロア位置決め孔７５，８３を設け、右スライドレール３４に前後のレール位置決め孔９３，９６を設け、フロア位置決め孔７５，８３に下向き位置決めピン７４，８１を差し込み、上向き位置決めピン７３，８２にレール位置決め孔９３，９６を嵌め込むものである。【選択図】図５
2006315542.tif 000002
【特許請求の範囲】
【請求項１】
車体フロアに一対のスライドレールを車体前後方向に向けて並設し、一対のスライドレールにシートを車体前後方向に移動可能に備えたスライドレール構造において、
一対のスライドレールのうち、一方のスライドレールに、前記車体フロアに位置決め可能な第１位置決め部を設けるとともに、他方のスライドレールを位置決め可能な第２位置決め部を設け、
前記車体フロアに、前記第１位置決め部を位置決めするフロア位置決め部を設け、
前記他方のスライドレールに、前記第２位置決め部に位置決め可能なレール位置決め部を設けたことを特徴とするスライドレール構造。
【請求項２】
前記一対のスライドレール間に、それぞれのスライドレールを覆うレールカバーを備えたことを特徴とする請求項１記載のスライドレール構造。
【発明の詳細な説明】
【技術分野】
【０００１】
本発明は、車体フロアに一対のスライドレールを車体前後方向に向けて設けたスライドレール構造に関する。
【背景技術】
【０００２】
車両は、例えば運転席後方のシートを車体前後方向にスライドするために車体フロアにスライドレールを備える。このスライドレールは、シートを所定位置に配置するために、車体フロアに精度よく取り付ける必要がある。
車体フロアにスライドレールを精度よく取り付けるために、スライドレールに位置決めピンを備え、この位置決めピンを車体フロアの位置決め孔に差し込むスライドレール構造が知られている（例えば、特許文献１参照。）。
【０００３】
一方、スライドレール構造のなかには、スライドレールの上部をレールカバーで覆うように構成したものがある（例えば、特許文献２参照。）。
【特許文献１】特開２００２−３３１８６０号公報
【特許文献２】特開２００１−２７７９１１号公報
【発明の開示】
【発明が解決しようとする課題】
【０００４】
特許文献１のスライドレール構造は、車体フロアの位置決め孔に位置決めピンを差し込んで、スライドレールを位置決めするものである。
このスライドレール構造を一対のスライドレールに適用して、一対のスライドレールの位置関係を精度よく保つことが考えられる。
以下、一対のスライドレールを第１、第２のスライドレールとして説明する。
【０００５】
すなわち、一対のスライドレールのうち、第１スライドレール用の位置決め孔（以下、第１位置決め孔という）を車体フロアに形成し、この第１位置決め孔に、第１スライドレールの位置決めピンを差し込む。
同様に、第２スライドレール用の位置決め孔（以下、第２位置決め孔という）を車体フロアに形成し、この第２位置決め孔に、第２スライドレールの位置決めピンを差し込む。
このため、第１位置決め孔に対して第２位置決め孔を精度よく位置決めすることで、一対のスライドレールの位置関係を精度よく保つことは可能である。
【０００６】
しかし、第１位置決め孔や、第１スライドレールの位置決めピンには加工公差がある。よって、第１位置決め孔に、第１スライドレールの位置決めピンを差し込んだ際に、第１位置決め孔に対して第１スライドレールが僅かにずれる虞がある。
このため、第１位置決め孔に対して第２位置決め孔を精度よく位置決めしても、一対のスライドレールの位置関係を精度よく保つことは難しい。
このように、一対のスライドレールの位置関係を精度よく保つことは難しいので、一対のスライドレール間の寸法公差が大きくなる虞がある。
【０００７】
ここで、一対のスライドレール間に、特許文献２のレールカバーを設ける場合、レール間隔の大きな寸法公差を考慮してレールカバーの形状を決める必要がある。
このため、レールカバーの形状を決める検討が難しく、レールカバーの設計に時間がかかるという問題があった。
【０００８】
さらに、レールカバーを一対のスライドレール間に組み付ける際に、一対のスライドレール間の寸法公差が大きいと、レールカバーを一対のスライドレールに合わせることは難しい。
このため、レールカバーの組付けに時間がかかるという問題があった。
このように、レールカバーの設計やレールカバーの組付けに時間がかかるので、スライドレール構造の生産性を高めることは難しいとされていた。
【０００９】
本発明は、一対のスライドレール間の寸法精度を確保することができ、さらに生産性を高めることができるスライドレール構造を提供することを課題とする。
【課題を解決するための手段】
【００１０】
請求項１に係る発明は、車体フロアに一対のスライドレールを車体前後方向に向けて並設し、一対のスライドレールにシートを車体前後方向に移動可能に備えたスライドレール構造において、一対のスライドレールのうち、一方のスライドレールに、前記車体フロアに位置決め可能な第１位置決め部を設けるとともに、他方のスライドレールを位置決め可能な第２位置決め部を設け、前記車体フロアに、前記第１位置決め部を位置決めするフロア位置決め部を設け、前記他方のスライドレールに、前記第２位置決め部に位置決め可能なレール位置決め部を設けたことを特徴とする。
【００１１】
一方のスライドレールに他方のスライドレールを位置決めする第２位置決め部を設けることで、第２位置決め部を一方のスライドレールに対して高精度に位置決めすることが可能になる。
この第２位置決め部に、他方のスライドレールのレール位置決め部を位置決めする。第２位置決め部は一方のスライドレールに対して高精度に位置決めされているので、他方のスライドレールを一方のスライドレールに対して高精度に位置決めすることができる。
【００１２】
請求項２は、前記一対のスライドレール間に、それぞれのスライドレールを覆うレールカバーを備えたことを特徴とする。
【００１３】
一対のスライドレール間にレールカバーを備えた。一対のスライドレールのうち、一方のスライドレールに対して他方のスライドレールを高精度に位置決めすることで、レールカバーの形状を比較的簡単に決めることが可能になる。
これにより、レールカバーを時間をかけないで簡単に設計することができる。
【００１４】
さらに、一対のスライドレールを高精度に位置決めすることで、一対のスライドレール間にレールカバーを簡単に組み付けることができる。
これにより、一対のスライドレール間にレールカバーを時間をかけないで簡単に組み付けることができる。
【発明の効果】
【００１５】
請求項１に係る発明では、他方のスライドレールを一方のスライドレールに対して高精度に位置決めすることで、一対のスライドレール間の寸法精度を確保することができるという利点がある。
【００１６】
請求項２に係る発明では、レールカバーを時間をかけないで簡単に設計でき、さらにレールカバーを時間をかけないで簡単に組み付けることができるので、生産性を高めることができるという利点がある。
【発明を実施するための最良の形態】
【００１７】
本発明を実施するための最良の形態を添付図に基づいて以下に説明する。なお、「前」、「後」、「左」、「右」は運転者から見た方向に従い、Ｆｒは前側、Ｒｒは後側、Ｌは左側、Ｒは右側を示す。
【００１８】
図１は本発明に係るスライドレール構造からシートを外した例を示す斜視図である。
車両１０は、車室１２内に第１列のシート、第２列目のシート（シート）１４および第３列のシートを備える。
第２列目のシート１４は、一例として、右側に配置されたセカンドシート本体１６と、セカンドシート本体１６の左側に配置された補助シート１８とを備えたベンチシートであり、スライドレール構造２０に取り付けられている。
【００１９】
スライドレール構造２０は、車体フロア２１の右側に第１レールユニット２２を備え、車体フロア２１の左側に第２レールユニット２３を備え、第１、第２のレールユニット２２，２３を覆うレールカバー２５（図２参照）を備える。
【００２０】
第１レールユニット２２は、右スライドレール２７および左スライドレール（一方のスライドレール）２８を間隔Ｌ１をおいて互いに平行に配置した状態で車体フロア２１にボルト止めしたものである。
右スライドレール２７の右移動体３１および左スライドレール２８の左移動体３２に、セカンドシート本体１６をボルト止めする。
【００２１】
第２レールユニット２３は、右スライドレール（他方のスライドレール）３４および左スライドレール３５を間隔Ｌ２をおいて互いに平行に配置した状態で車体フロア２１にボルト止めしたものである。
右スライドレール３４の右移動体３７および左スライドレール３５の左移動体３８に、補助シート１８をボルト止めする。
【００２２】
ここで、第２列目のシート１４を車体前後方向にスライド移動させた際に、セカンドシート本体１６と補助シート１８との間隔を一定に保つために、第１、第２のレールユニット２２，２３を互いに精度よく位置決めすることが要求される。
特に、第１レールユニット２２の左スライドレール２８と、第２レールユニット２３の右スライドレール３４との位置決めは重要である。
【００２３】
以下、スライドレール構造２０の構成部材のうち、第１レールユニット２２の左スライドレール２８、第２レールユニット２３の右スライドレール３４、および左右のスライドレール２８，３４を覆うレールカバー２５（図２参照）について詳説し、その他の構成部材についての説明を省略する。
なお、左スライドレール２８および右スライドレール３４は、請求項１に記載した一対のスライドレールである。
【００２４】
図２は本発明に係るスライドレール構造を示す分解斜視図、図３は本発明に係るスライドレール構造を示す斜視図である。
スライドレール構造２０は、第１レールユニット２２の左スライドレール２８と、第２レールユニット２３の右スライドレール３４とを共締ボルト４１，４１で車体フロア２１に共締め可能に構成し、左右のスライドレール２８，３４がレールカバー２５で覆われている。
【００２５】
左右のスライドレール２８，３４は、車体フロア２１に車体前後方向に向けて並設したものである。左右のスライドレール２８，３４に第２列目のシート１４を車体前後方向に移動可能に備える。
【００２６】
レールカバー２５は、左右のスライドレール２８，３４間に取り付ける中央カバー部４４と、左スライドレール２８の右側に取り付ける右側カバー部４６と、右スライドレール３４の左側に取り付ける左側カバー部４５と、中央カバー部４４および左右のスライドレール２８，３４のそれぞれの前側に取り付ける前カバー部４７と、中央カバー部４４および左右のスライドレール２８，３４のそれぞれの後側に取り付ける後カバー部４８とを備える。
【００２７】
中央カバー部４４は、略矩形状に形成されたカバー本体５１を備え、カバー本体５１の左辺にリップ５２を備え、左辺近傍に下向きの左脚片５３を備え、カバー本体５１の右辺にリップ５２を備え、右辺近傍に下向きの右脚片５４を備える。
【００２８】
左側カバー部４５は、略矩形状に形成されたカバー本体５６を備え、カバー本体５６の右辺にリップ５２を備え、右辺近傍に下向きの脚片５７を備える。
右側カバー部４６は、略矩形状に形成されたカバー本体６１を備え、カバー本体６１の左辺にリップ５２を備え、左辺近傍に下向きの脚片６２を備える。
【００２９】
前カバー部４７は、中央カバー部４４の前縁、左側カバー部４５の前縁、および右側カバー部４６の前縁に取り付けたカバーである。
後カバー部４８は、中央カバー部４４の後縁、左側カバー部４５の後縁、および右側カバー部４６の後縁に取り付けたカバーである。
リップ５２は、弾性変形可能な材質で形成された可撓性部材である。
【００３０】
なお、中央カバー部４４、左側カバー部４５および右側カバー部４６については図７でさらに詳しく説明する。
【００３１】
図４は本発明に係るスライドレール構造の要部を示す斜視図、図５は本発明に係るスライドレール構造の要部を示す分解斜視図である。
第１レールユニット２２の左スライドレール２８は、左レール本体６４を車体前後方向に延ばし、左レール本体６４に車体前後方向に移動可能に左移動体３２を設け、左レール本体６４の前部に前取付ブラケット６５、中央部に中央取付ブラケット６６、後部に後取付ブラケット６７を設けたものである。
【００３２】
前取付ブラケット６５は、左レール本体６４の左壁に前左ブラケット７１を備え、左レール本体６４の右壁に前右ブラケット７２を備える。
前左ブラケット７１は、前部に第１貫通孔７１ａを形成し、後部に前側上向き位置決めピン（第２位置決め部）７３を上向きに設けたものである。
第１貫通孔７１ａは、車体フロア２１の第１取付孔２１ａと同軸上に設けられている。
前右ブラケット７２は、第２貫通孔７２ａを形成したものである。
第２貫通孔７２ａは、車体フロア２１の第２取付孔２１ｂと同軸上に設けられている。
【００３３】
中央取付ブラケット６６は、レール本体６４の左壁に備え、前部に前側下向き位置決めピン（第１位置決め部）７４を下向きに設け、後部に第３貫通孔６６ａを形成したものである。
前側下向き位置決めピン７４は、車体フロア２１に向けて延びたピンである。
この前側下向き位置決めピン７４は、車体フロア２１の前側フロア位置決め孔（フロア位置決め部）７５に同軸上に設けられている。
前側フロア位置決め孔７５は、前側下向き位置決めピン７４に嵌め込み可能な孔である。
第３貫通孔６６ａは、車体フロア２１の第３取付孔２１ｃと同軸上に設けられている。
【００３４】
後取付ブラケット６７は、左レール本体６４の底部に備え、左レール本体６４から左側に左突片７７を突出し、左レール本体６４から右側に右突片７８を突出したものである。
左突片７７は、前部に後側下向き位置決めピン（第１位置決め部）８１を下向きに設けるとともに、後側上向き位置決めピン（第２位置決め部）８２を上向きに設け、後部に第４貫通孔７７ａを形成したものである。
後側下向き位置決めピン８１は、車体フロア２１に向けて延びたピンである。
【００３５】
後側下向き位置決めピン８１と後側上向き位置決めピン８２とは、一例として、同一部材で一体に、かつ同軸上に形成された部材である。
後側下向き位置決めピン８１は、車体フロア２１の後側フロア位置決め孔（フロア位置決め部）８３に同軸上に設けられている。
後側フロア位置決め孔８３は、後側下向き位置決めピン８１に嵌め込み可能な孔である。
第４貫通孔７７ａは、車体フロア２１の第４取付孔２１ｄと同軸上に設けられている。
【００３６】
右突片７８は、第５貫通孔７８ａを形成したものである。
第５貫通孔７８ａは、車体フロア２１の第５取付孔２１ｅと同軸上に設けられている。
【００３７】
第２レールユニット２３の右スライドレール３４は、右レール本体８５を車体前後方向に延ばし、右レール本体８５に車体前後方向に移動可能に右移動体３７を設け、右レール本体８５の前部に前取付ブラケット８６、中央部に中央取付ブラケット８７、後部に後取付ブラケット８８を設けたものである。
【００３８】
前取付ブラケット８６は、右レール本体８５の左壁に前左ブラケット９１を備え、右レール本体８５の右壁に前右ブラケット９２を備える。
前左ブラケット９１は、第６貫通孔９１ａを形成したものである。
第６貫通孔９１ａは、車体フロア２１の第６取付孔２１ｆと同軸上に設けられている。
【００３９】
前右ブラケット９２は、前部に第７貫通孔９２ａを形成し、後部に前側レール位置決め孔（レール位置決め部）９３を設けたものである。
前側レール位置決め孔９３は、前側上向き位置決めピン７３に嵌め込み可能な孔である。
前側上向き位置決めピン７３は、右スライドレール３４の前右ブラケット９２に向けて延びたピンである。
第７貫通孔９２ａは、第１貫通孔７１ａと同軸上に設けられている。
前側レール位置決め孔９３は、前側上向き位置決めピン７３と同軸上に設けられている。
【００４０】
中央取付ブラケット８７は、右レール本体８５の左壁に備え、第８貫通孔８７ａを形成したものである。
第８貫通孔８７ａは、車体フロア２１の第７取付孔２１ｇと同軸上に設けられている。
【００４１】
後取付ブラケット８８は、右レール本体８５の底部に備え、右レール本体８５から左側に左突片９４を突出し、右レール本体８５から右側に右突片９５を突出したものである。
左突片９４は、第９貫通孔９４ａを形成したものである。
第９貫通孔９４ａは、車体フロア２１の第８貫通孔２１ｈと同軸上に設けられている。
【００４２】
右突片９５は、前部に後側レール位置決め孔（レール位置決め部）９６を設け、後部に第１０貫通孔９５ａを形成したものである。
後側レール位置決め孔９６は、後側上向き位置決めピン８２に嵌め込み可能な孔である。
後側上向き位置決めピン８２は、右スライドレール３４の右突片９５に向けて延びたピンである。
この後側レール位置決め孔９６は後側上向き位置決めピン８２と同軸上に設けられている。
第１０貫通孔９５ａは第４貫通孔７７ａと同軸上に設けられている。
【００４３】
左スライドレール２８によれば、左スライドレール２８の前側下向き位置決めピン７４を前側フロア位置決め孔７５に差し込むとともに、左スライドレール２８の後側下向き位置決めピン８１を後側フロア位置決め孔８３に差し込むことで、左スライドレール２８を車体フロア２１に対して位置決めすることが可能である。
【００４４】
左スライドレール２８を車体フロア２１に対して位置決めすることで、第１、第２の貫通孔７１ａ，７２ａがそれぞれ第１、第２の取付孔２１ａ，２１ｂに同軸上に配置される。また、第３貫通孔６６ａが第３取付孔２１ｃに同軸上に配置される。
さらに、第４、第５の貫通孔７７ａ，７８ａがそれぞれ第４、第５の取付孔２１ｄ，２１ｅに同軸上に配置される。
【００４５】
さらに、右スライドレール３４によれば、前側上向き位置決めピン７３に前側レール位置決め孔９３を嵌め込むとともに、後側上向き位置決めピン８２に後側レール位置決め孔９６を嵌め込むことで、右スライドレール３４を左スライドレール２８に対して位置決めすることが可能である。
【００４６】
右スライドレール３４を左スライドレール２８に対して位置決めすることで、第６貫通孔９１ａが第６取付孔２１ｆに同軸上に配置され、第７貫通孔９２ａが第１貫通孔７１ａに同軸上に配置される。また、第８貫通孔８７ａが第７取付孔２１ｇに同軸上に配置される。
さらに、第９貫通孔９４ａが第８取付孔２１ｈに同軸上に配置され、第１０貫通孔９５ａが第４貫通孔７７ａに同軸上に配置される。
【００４７】
この状態で、第７、第１の貫通孔９２ａ，７１ａおよび第１取付孔２１ａに共締ボルト４１を差し込み、第１取付孔２１ａから突出した共締ボルト４１をナット４２（図６参照）にねじ結合する。
第２貫通孔７２ａおよび第２取付孔２１ｂにボルト４３を差し込み、第２取付孔２１ｂから突出したボルト４３をナット４２（図示せず）にねじ結合する。
第６貫通孔９１ａおよび第６取付孔２１ｆにボルト４３を差し込み、第６取付孔２１ｆから突出したボルト４３をナット４２（図示せず）にねじ結合する。
【００４８】
第１０、第４の貫通孔９５ａ，７７ａおよび第４取付孔２１ｄに共締ボルト４１を差し込み、第４取付孔２１ｄから突出した共締ボルト４１をナット４２（図６参照）にねじ結合する。
第５貫通孔７８ａおよび第５取付孔２１ｅにボルト４３を差し込み、第５取付孔２１ｅから突出したボルト４３をナット４２（図示せず）にねじ結合する。
第９貫通孔９４ａおよび第８取付孔２１ｈにボルト４３を差し込み、第８取付孔２１ｈから突出したボルト４３をナット４２（図示せず）にねじ結合する。
【００４９】
第３貫通孔６６ａおよび第３取付孔２１ｃにボルト４３を差し込み、第３取付孔２１ｃから突出したボルト４３をナット４２（図６参照）にねじ結合する。
第８貫通孔８７ａおよび第７取付孔２１ｇにボルト４３を差し込み、第７取付孔２１ｇから突出したボルト４３をナット４２（図示せず）にねじ結合する。
これにより、左スライドレール２８および右スライドレール３４が車体フロア２１に取り付けられる。
【００５０】
左スライドレール２８に前後側の上向き位置決めピン７３，８２を設けることで、前後側の上向き位置決めピン７３，８２を左スライドレール２８に対して高精度に位置決めすることが可能になる。
前側上向き位置決めピン７３に、右スライドレール３４の前側レール位置決め孔９３を嵌め込み、さらに後側上向き位置決めピン８２に、右スライドレール３４の後側レール位置決め孔９６を嵌め込む。
前後側の上向き位置決めピン７３，８２が左スライドレール２８に対して高精度に位置決めされているので、右スライドレール３４を左スライドレール２８に対して高精度に位置決めすることができる。
【００５１】
図６は図４の６−６線断面図である。
左スライドレール２８の前側下向き位置決めピン７４を前側フロア位置決め孔７５に差し込むとともに、後側下向き位置決めピン８１を後側フロア位置決め孔８３に差し込むことで、左スライドレール２８を車体フロア２１に対して位置決めする。
前側上向き位置決めピン７３に前側レール位置決め孔９３を嵌め込むとともに、後側上向き位置決めピン８２に後側レール位置決め孔９６を嵌め込むことで、右スライドレール３４（図５参照）を左スライドレール２８に対して位置決めする。
【００５２】
図７は図３の７−７線断面図である。
第１レールユニット２２の左スライドレール２８にガイド溝１０１を備える。ガイド溝１０１内に、左移動体３２の一部を構成する回転体１０２，１０２を配置する。回転体１０２，１０２に支えブラケット１０３を取り付け、支えブラケット１０３をセカンドシート本体１６の底部１６ａにボルト止めする。
左スライドレール２８の左側壁６４ａに左係止部材１０５を取り付けるとともに、右側壁６４ｂに右係止部材１０６を取り付ける。
【００５３】
第２レールユニット２３の右スライドレール３４にガイド溝１１１を備える。ガイド溝１１１内に、右移動体３７の一部を構成する回転体１１２，１１２を配置する。回転体１１２，１１２に支えブラケット１１３を取り付け、支えブラケット１１３を補助シート１８の底部１８ａにボルト止めする。
右スライドレール３４の左側壁８５ａに左係止部材１１５を取り付けるとともに、右側壁８５ｂに右係止部材１１６を取り付ける。
【００５４】
第１レールユニット２２の左スライドレール２８および第２レールユニット２３の右スライドレール３４をレールカバー２５で覆う。
レールカバー２５は、左右のスライドレール２８，３４間に中央カバー部４４を備え、左スライドレール２８の右側に右側カバー部４６を備え、右スライドレール３４の左側に左側カバー部４５を備える。
【００５５】
具体的には、中央カバー部４４に左右の脚片５３，５４を下向きに備え、左脚片５３を右側壁８５ｂに沿わせて差し込むとともに、右脚片５４を左側壁６４ａに沿わせて差し込む。
左脚片５３の爪部５３ａを右係止部材１１６に着脱自在に係止するとともに、右脚片５４の爪部５４ａを左係止部材１０５に着脱自在に係止する。
これにより、中央カバー部４４を左右のスライドレール２８，３４間に取り付ける。
【００５６】
ここで、右スライドレール３４は左スライドレール２８に対して高精度に位置決めされている。
このように、左スライドレール２８に対して右スライドレール３４を高精度に位置決めすることで、中央カバー部（レールカバー）４４の形状を比較的簡単に決めることが可能になる。
よって、中央カバー部４４、すなわちレールカバー２５を時間をかけないで簡単に設計することができる。
【００５７】
また、右側カバー部４６に下向きの脚片６２を備え、脚片６２を左スライドレール２８の右側壁６４ｂに沿わせて差し込む。脚片６２の爪部６２ａを右係止部材１０６に着脱自在に係止する。
これにより、右側カバー部４６を左スライドレール２８の右側壁６４ｂ側に取り付ける。
【００５８】
さらに、左側カバー部４５に下向きの脚片５７を備え、脚片５７を右スライドレール３４の左側壁８５ａに沿わせて差し込む。脚片５７の爪部５７ａを左係止部材１１５に着脱自在に係止する。
これにより、左側カバー部４５を右スライドレール３４の左側壁８５ａ側に取り付ける。
【００５９】
次に、本発明に係るスライドレール構造２０の特徴を図８に基づいて説明する。
図８（ａ），（ｂ）は本発明に係るスライドレール構造の特徴について説明する図であり、（ａ）は比較例、（ｂ）は実施例を示す。
なお、（ｂ）の実施例は、実施の形態の後側下向き位置決めピン８１および後側上向き位置決めピン８２を例に説明する。
【００６０】
（ａ）において、左スライドレール２００の下向き位置決めピン２０１を車体フロア２０２の第１位置決め孔２０３に差し込んで、左スライドレール２００を車体フロア２０２に対して位置決めする。
右スライドレール２０５の下向き位置決めピン２０６を車体フロア２０２の第２位置決め孔２０７に差し込む。これにより、右スライドレール２０５を左スライドレール２００に対して位置決めする。
【００６１】
しかし、第１位置決め孔２０３や、左スライドレール２００の下向き位置決めピン２０１には加工公差があることが考えられる。
よって、第１位置決め孔２０３に下向き位置決めピン２０１を差し込んだ際に、第１位置決め孔２０３に対して左スライドレール２００が僅かにずれる虞がある。
【００６２】
このため、第１位置決め孔２０３に対して第２位置決め孔２０７を精度よく位置決めしても、左右のスライドレール２００，２０５の位置関係を精度よく保つことは難しい。
このように、左右のスライドレール２００，２０５の位置関係を精度よく保つことが難しいので、左右のスライドレール２００，２０５間の距離Ｌ１の寸法精度を確保することが難しい。
【００６３】
（ｂ）において、左スライドレール２８の後側下向き位置決めピン８１を車体フロア２１の後側フロア位置決め孔８３に差し込んで、左スライドレール２８を車体フロア２１に対して位置決めする。
左スライドレール２８に後側上向き位置決めピン８２を設ける。そして、後側上向き位置決めピン８２に右スライドレール３４の後側レール位置決め孔９６を嵌め込んで、右スライドレール３４を左スライドレール２８に対して位置決めする。
【００６４】
ここで、後側フロア位置決め孔８３や、左スライドレール２８の後側下向き位置決めピン８１には加工公差があることが考えられる。
よって、後側フロア位置決め孔８３に後側下向き位置決めピン８１を差し込んだ際に、後側フロア位置決め孔８３に対して左スライドレール２８が僅かにずれる虞がある。
【００６５】
しかし、左スライドレール２８に後側上向き位置決めピン８２を設けることで、後側上向き位置決めピン８２を左スライドレール２８に対して高精度に位置決めすることが可能になる。
この後側上向き位置決めピン８２に、右スライドレール３４の後側レール位置決め孔９６を嵌め込む。
【００６６】
後側上向き位置決めピン８２が左スライドレール２８に対して高精度に位置決めされているので、右スライドレール３４を左スライドレール２８に対して高精度に位置決めすることができる。
これにより、左右のスライドレール２８，３４間の距離Ｌ２の寸法精度を確保することができる。
【００６７】
次に、スライドレール構造の組付工程を図９〜図１２に基づいて説明する。
図９（ａ），（ｂ）は本発明に係るスライドレール構造の左スライドレールを車体フロアに位置決めする例を説明する図である。
（ａ）において、左スライドレール２８の前側下向き位置決めピン７４を前側フロア位置決め孔７５に矢印Ａの如く差し込む。
同時に、左スライドレール２８の後側下向き位置決めピン８１を後側フロア位置決め孔８３に矢印Ｂの如く差し込む。
左スライドレール２８を車体フロア２１に対して位置決めする。
【００６８】
（ｂ）において、左スライドレール２８の左側に隣接させて右スライドレール３４を配置する。
すなわち、前側上向き位置決めピン７３に前側レール位置決め孔９３を矢印Ｃの如く嵌め込み、前左ブラケット７１に前右ブラケット９２を載せる。
同時に、後側上向き位置決めピン８２に後側レール位置決め孔９６を矢印Ｄの如く嵌め込み、左突片７７に右突片９５を載せる。
これにより、右スライドレール３４を左スライドレール２８に対して位置決めした状態に配置する。
【００６９】
図１０（ａ），（ｂ）は本発明に係るスライドレール構造のスライドレールを車体フロアに取り付ける例を説明する図である。なお、（ａ）は図５を参照に説明する。
（ａ）において、第７、第１の貫通孔９２ａ，７１ａおよび第１取付孔２１ａに共締ボルト４１を矢印Ｅの如く差し込む。
第２貫通孔７２ａおよび第２取付孔２１ｂにボルト４３を矢印Ｆの如く差し込むとともに、第６貫通孔９１ａおよび第６取付孔２１ｆにボルト４３矢印Ｇの如く差し込む。
【００７０】
第１０、第４の貫通孔９５ａ，７７ａおよび第４取付孔２１ｄに共締ボルト４１を矢印Ｈの如く差し込む。
第５貫通孔７８ａおよび第５取付孔２１ｅにボルト４３を矢印Ｉの如く差し込むとともに、第９貫通孔９４ａおよび第８取付孔２１ｈにボルト４３を矢印Ｊの如く差し込む。
第３貫通孔６６ａおよび第３取付孔２１ｃにボルト４３を矢印Ｋの如く差し込む。第８貫通孔８７ａおよび第７取付孔２１ｇにボルト４３を矢印Ｌの如く差し込む。
【００７１】
（ｂ）において、共締ボルト４１，４１をナット４２，４２（図６参照）にそれぞれねじ結合するとともに、ボルト４３…（…は複数を示す）をナット４２…（図６参照）にそれぞれねじ結合する。
これにより、左スライドレール２８および右スライドレール３４を車体フロア２１にボルト止めする。
【００７２】
図１１（ａ），（ｂ）は本発明に係るスライドレール構造のカバー部材を取り付ける例を説明する図である。
（ａ）において、中央カバー部４４の左脚片５３を右スライドレール３４の右側壁８５ｂに沿わせて矢印Ｍの如く差し込むとともに、中央カバー部４４の右脚片５４を左スライドレール２８の左側壁６４ａに沿わせて矢印Ｎの如く差し込む。
【００７３】
また、右側カバー部４６の脚片６２を左スライドレール２８の右側壁６４ｂに沿わせて矢印Ｏの如く差し込む。
さらに、左側カバー部４５の脚片５７を右スライドレール３４の左側壁８５ａに沿わせて矢印Ｐの如く差し込む。
【００７４】
（ｂ）において、中央カバー部４４の左右の脚片５３，５４を右係止部材１１６および左係止部材１０５にそれぞれ係止することで、中央カバー部４４を左右のスライドレール２８，３４間に取り付ける。
【００７５】
また、右側カバー部４６の脚片６２を右係止部材１０６に係止することで、右側カバー部４６を左スライドレール２８の右側壁６４ｂ側に取り付ける。
さらに、左側カバー部４５の脚片５７を左係止部材１１５に係止することで、左側カバー部４５を右スライドレール３４の左側壁８５ａ側に取り付ける。
【００７６】
ここで、左右のスライドレール２８，３４が高精度に位置決めされているので、左右のスライドレール２８，３４間に中央カバー部（レールカバー）４４を簡単に組み付けることができる。
これにより、レールカバー２５の組付け時間を短くすることができる。
【００７７】
図１２は本発明に係るスライドレール構造の前後のカバー部を取り付ける例を説明する図である。
中央カバー部４４の前縁４４ａ、左側カバー部４５の前縁４５ａ、および右側カバー部４６の前縁４６ａに、前カバー部４７を矢印Ｑの如く取り付ける。
さらに、中央カバー部４４の後縁４４ｂ、左側カバー部４５の後縁４５ｂ、および右側カバー部４６の後縁４６ｂに、後カバー部４８を矢印Ｒの如く取り付ける。
これにより、図３に示すように、第１レールユニット２２の左スライドレール２８および第２レールユニット２３の右スライドレール３４をレールカバー２５で覆う。
【００７８】
なお、前記実施の形態では、下向き位置決めピンとして前後側の下向き位置決めピン７４，８１の２本を用いた例について説明したが、下向き位置決めピンは２本に限らないで、３本や４本などの複数本を用いることも可能である。
【００７９】
また、前記実施の形態では、上向き位置決めピンとして前後側の上向き位置決めピン７３，８２の２本を用いた例について説明したが、上向き位置決めピンは２本に限らないで、３本や４本などの複数本を用いることも可能である。
【００８０】
さらに、前記実施の形態では、スライドレール構造２０を第２列目のシート１４に適用した例について説明したが、これに限らないで、スライドレール構造２０を第３列のシートやその他のシートに適用することも可能である。
【００８１】
また、前記実施の形態では、第１位置決め部として前後側の下向き位置決めピン７４，８１を例示し、第２位置決め部として前後側の上向き位置決めピン７３，８２を例示し、フロア位置決め部として前後側のフロア位置決め孔７５，８３を例示し、レール位置決め部として前後側のレール位置決め孔９３，９６を例示したが、これに限らないで、第１、第２の位置決め部を位置決め孔とし、フロア位置決め部をフロア位置決めピンとし、レール位置決め部をレール位置決めピンとすることも可能である。
第１位置決め孔をフロア位置決めピンに嵌め込み、第２位置決め孔にレール位置決めピンを差し込むことで、前記実施の形態と同様の効果を得ることができる。
【産業上の利用可能性】
【００８２】
本発明は、車体フロアに一対のスライドレールを車体前後方向に向けて設けたスライドレール構造への適用に好適である。
【図面の簡単な説明】
【００８３】
【図１】本発明に係るスライドレール構造からシートを外した例を示す斜視図である。
【図２】本発明に係るスライドレール構造を示す分解斜視図である。
【図３】本発明に係るスライドレール構造を示す斜視図である。
【図４】本発明に係るスライドレール構造の要部を示す斜視図である。
【図５】本発明に係るスライドレール構造の要部を示す分解斜視図である。
【図６】図４の６−６線断面図である。
【図７】図３の７−７線断面図である。
【図８】本発明に係るスライドレール構造の特徴について説明する図である。
【図９】本発明に係るスライドレール構造の左スライドレールを車体フロアに位置決めする例を説明する図である。
【図１０】本発明に係るスライドレール構造のスライドレールを車体フロアに取り付ける例を説明する図である。
【図１１】本発明に係るスライドレール構造のカバー部材を取り付ける例を説明する図である。
【図１２】本発明に係るスライドレール構造の前後のカバー部を取り付ける例を説明する図である。
【符号の説明】
【００８４】
２０…スライドレール構造、１４…第２列目のシート（シート）、２１…車体フロア、２５…レールカバー、２８…左スライドレール（一対のスライドレールのうち、一方のスライドレール）、３４…右スライドレール（一対のスライドレールのうち、他方のスライドレール）、７３…前側上向き位置決めピン（第２位置決め部）、７４…前側下向き位置決めピン（第１位置決め部）、７５…前側フロア位置決め孔（フロア位置決め部）、８１…後側下向き位置決めピン（第１位置決め部）、８２…後側上向き位置決めピン（第２位置決め部）、８３…後側フロア位置決め孔（フロア位置決め部）、９３…前側レール位置決め孔（レール位置決め部）、９６…後側レール位置決め孔（レール位置決め部）。
【図１】
2006315542.tif 000003
【図２】
2006315542.tif 000004
【図３】
2006315542.tif 000005
【図４】
2006315542.tif 000006
【図５】
2006315542.tif 000007
【図６】
2006315542.tif 000008
【図７】
2006315542.tif 000009
【図８】
2006315542.tif 000010
【図９】
2006315542.tif 000011
【図１０】
2006315542.tif 000012
【図１１】
2006315542.tif 000013
【図１２】
2006315542.tif 000014